(57)【要約】力を働かせるためのハンドルを含むボディと、前記ボディと結合するようになっておりまたコネクタを携行するカプセルであって、前記結合部によって前記力が伝達されて前記コネクタを配置するようになっているものと、選択的に前記ボディと前記カプセルとの間に接続されるようになっておりそれによって前記移送システムの到達範囲を伸長する伸長部と、を有する、吻合コネクタ用移送システム。
2005506095.tif 000002
【特許請求の範囲】
【請求項１】
複数のクリップセグメントと、
クリップセグメントを相互接続する、複数の捩じることが出来る弾性的なセグメントと、
を有する、吻合コネクタ。
【請求項２】
前記セグメントは、前記クリップセグメントによって定まる平面から離れて曲げることが出来ることを特徴とする、請求項１に記載のコネクタ。
【請求項３】
前記取り付けセグメントの弾性が、前記コネクタの径の変化の挙動をコントロールするよう定められることを特徴とする、請求項１に記載のコネクタ。
【請求項４】
前記クリップセグメントが、クリップが閉じたときにターゲットとなる組織に進入しないことを特徴とする、請求項１に記載のコネクタ。
【請求項５】
前記クリップセグメントは、クリップが閉じたときにターゲットとなる組織に進入するが、前記組織を貫通しないことを特徴とする、請求項１に記載のコネクタ。
【請求項６】
複数のクリップセグメントであって、そのそれぞれによって、そこでクリップの両端が組織と係合するクリップ当接エリアが定まるようなものと、
クリップセグメントと相互接続する複数の取りつけセグメントと、を有し、前記取り付けセグメントが第１の円周上に配置され、前記当接エリアは第２の円周上に配置され、前記２つの円周は同一ではない、
ことを特徴とする、吻合コネクタ。
【請求項７】
前記取り付けセグメントの弾性は、前記コネクタの径の変化の挙動をコントロールするよう定められることを特徴とする、請求項６に記載のコネクタ。
【請求項８】
前記円周は同一の平面上には無いことを特徴とする、請求項６に記載のコネクタ。
【請求項９】
複数の接続セグメントであって、そのそれぞれによって、前記セグメントとターゲットとなる血管との間での当接エリアが定まるようなものと、
前記接続セグメントと相互接続し、前記接続セグメントの相対運動を制限する複数の取り付けセグメントと、を有し、前記取り付けセグメントの幾つかは、前記接続セグメントの相対運動が、他の接続セグメントの運動よりも大きくなるよう制限する、
ことを特徴とする、吻合コネクタ。
【請求項１０】
前記接続セグメントは、それぞれ、その中でターゲットとなる血管と係合するプラーが前進及び後退引き込みされる、小孔付きセグメントを有することを特徴とする、請求項９に記載のコネクタ。
【請求項１１】
ベースプレートを有し、前記接続セグメントは、それぞれベースプレート上に小孔付きエリアを有することを特徴とする、請求項９に記載のコネクタ。
【請求項１２】
前記接続セグメントは、それぞれクリップ要素を有することを特徴とする、請求項９に記載のコネクタ。
【請求項１３】
前記コネクタは、ひずみの程度が大きいと考えられるターゲットとなる血管のエリアに対しては、相対運動がより大きくなるよう制限するように構成されていることを特徴とする、請求項９に記載のコネクタ。
【請求項１４】
前記接合セグメントは楕円状に配列され、セグメント間の相対運動は楕円の長半径方向両端で減少することを特徴とする、請求項９に記載のコネクタ。
【請求項１５】
吻合コネクタであって、
その中に複数の小孔があるベースプレートと、
前記コネクタの配置中に前記小孔の少なくとも幾つかを通過するようになっている１セットのプラーと、を有し、
前記ベースプレートは、ベースプレートを通って針を用いて吻合接合部を十分に縫合できるように、疏な構成となっている、
ことを特徴とする、吻合コネクタ。
【請求項１６】
複数のクリップセグメントであって、各クリップによってその中でクリップが組織と係合する係合ボリュームが定まるものと、
前記クリップセグメントと相互接続している取り付けセグメントと、
そのそれぞれが組織係合部を備えた１セットの組織プラーと、を有し、
前記クリップには複数の小孔があり、前記組織プラーは、係合した前記クリップの係合ボリューム内の組織を携行して後退引き込みされるように、前記小孔を通って伸長するようになっている、
ことを特徴とする、吻合コネクタ。
【請求項１７】
前記小孔は、コネクタホルダを用いて前記コネクタを保持するようになっていることを特徴とする、請求項１６に記載のコネクタ。
【請求項１８】
前記組織プラーは、２つ一組の軸方向に伸びるプラーを有し、各組は互いに同軸に配列された２つのプラーを有することを特徴とする、請求項１６に記載のコネクタ。
【請求項１９】
コネクタの前記組の一方は、ターゲットとなる血管の組織と係合するようになっており、プラーの前記組の他方は、前記吻合が終了する前に前記コネクタが取り付けられているターゲットとなる血管の組織と係合するようになっていることを特徴とする、請求項１８に記載のコネクタ。
【請求項２０】
前記組の少なくとも１つは前記小孔よりも広い先端部を備え、前記小孔の一方の側の待機ポイントにクリップがあるとき、プラーを後退引き込みすると前記クリップが閉じることを特徴とする、請求項１８に記載のコネクタ。
【請求項２１】
その中に複数の小孔があるベースプレートと、
前記コネクタの配置中に前記小孔の少なくとも幾つかを通るようになっている１セットのプラーであって、前記プラーのそれぞれは組織係合先端部を含んでいるものと、を有し、
前記小孔は２つ一組で並べられており、小孔の１つはプラーを受け、プラーが後退引き込みされると前記小孔の１つはプラーの先端部を受ける、
ことを特徴とする吻合コネクタ。
【請求項２２】
その周りに前記プラーのフックが配置されるようなバーを有し、前記バーは前記２つ一組の小孔の境界となっていることを特徴とする、請求項２１に記載のコネクタ。
【請求項２３】
吻合コネクタであって、
その中に複数の小孔があるベースプレートと、
前記コネクタが配置されている間に、前記小孔の少なくとも幾つかを通るようになっている１セットのプラーと、を有し、
前記プラーのそれぞれが、
先端部と、
タブ部であって、前記プラーがタブの近くで取り外されたとき、前記プラーの平面から離れて変形するようになっているものと、
を有する、吻合コネクタ。
【請求項２４】
ボディと、
前記ボディに取り付けられる少なくとも１つのスロット付きの前部プレートと、を有し、
前記プレート及び前記ボディの間に、吻合コネクタ用の貯蔵器があり、前記スロットは前記ベースプレート内に形成された小孔に適合し、阻止は係合スパイクの伸長部がそこを通り、
前記前部プレートは、前記コネクタが配置されたときに、前記ベースプレートの運動軸から離れるように曲がるようになっている、
ことを特徴とする吻合コネクタ用移送システム。
【請求項２５】
前記前部プレートは、少なくとも１つのヒンジ上に取り付けられることを特徴とする、請求項２４に記載のシステム。
【請求項２６】
前記前部プレートは、少なくとも２つの同一平面上のプレートに分割されることを特徴とする、請求項２４に記載のシステム。
【請求項２７】
前記前部プレートは、変形可能な取り付け器具を介して前記ボディに取り付けられることを特徴とする、請求項２４に記載のシステム。
【請求項２８】
吻合コネクタ用移送システムであって、
力を働かせるためのハンドルを含むボディと、
前記ボディと結合するようになっており、またコネクタを携行するカプセルであって、前記結合部によって前記力が伝達されて前記コネクタを配置するようになっているものと、
選択的に前記ボディと前記カプセルとの間に接続されるようになっており、それによって前記移送システムの到達範囲を伸長する、伸長部と、
を有する、吻合コネクタ用移送システム。
【請求項２９】
前記伸長部が屈曲可能であることを特徴とする、請求項２８に記載のシステム。
【請求項３０】
力を働かせるためのハンドルを含むボディと、
前記ボディの遠位端にあり、吻合コネクタを保持するようになっているコネクタホルダエリアであって、前記力が前記エリアに伝達されて前記コネクタを配置するものと、
前記ボディと前記エリアの間にあり、非弾性的に形状が変化する延長セクションと、
を有する、吻合コネクタ用移送システム。
【請求項３１】
前記延長セクションにはヒンジが取り付けられていることを特徴とする、請求項３０に記載のシステム。
【請求項３２】
前記延長セクションは変形可能であることを特徴とする、請求項３０に記載のシステム。
【請求項３３】
前記システムは、前記ハンドルと前記エリアの間で前記力の伝達を行う、可撓性のケーブルを有することを特徴とする、請求項３０に記載のシステム。
【請求項３４】
前記システムは、配置中に前記力によって後退引き込みされる複数の組織係合要素を有するコネクタの２つの部分を保持して配置するようになっており、コネクタのベースリング部がホルダエリアによって係合し、コネクタの組織プラー部が前記力によって後退引き込みされることを特徴とする、請求項３０に記載のシステム。
【請求項３５】
力を働かせるためのハンドルを含むボディと、
前記ボディの遠位端にあり、吻合コネクタを保持するようになっているコネクタホルダエリアであって、前記力が前記エリアに伝達されて前記コネクタを配置するものと、
選択的に複数の組織係合要素を前記コネクタホルダエリアから前進させるコントロールであって、前記コントロールが力を働かせるためのハンドルから分離しているようなものと、
を有する、吻合コネクタ用移送システム。
【請求項３６】
前記コントロールが回転ノブを有することを特徴とする、請求項３５に記載のシステム。
【請求項３７】
前記コントローラが、前記コネクタホルダエリアを含む分離型のカプセル要素に取り付けられていることを特徴とする、請求項３５に記載のシステム。
【請求項３８】
前記組織係合要素が、コネクタの一部分を形成することを特徴とする、請求項３５に記載のシステム。
【請求項３９】
前記組織係合要素は、前記移送システムの一部分を形成することを特徴とする、請求項３５に記載のシステム。
【請求項４０】
配置されたコネクタの少なくとも１つのスパイクと係合するようになっている少なくとも１つのスパイク係合器と、
前記スパイク係合器に対して軸方向に運動可能であり、前記スパイク係合器が前記スパイクを前記軸方向運動によって前記ベース部から離れるように後退引き込みしている間は前記コネクタのベース部に対して退避するようになっている、軸方向に延びたコントラ要素と、
を有する、スパイクとベース型コネクタの中で吻合接合を行うスパイクを除去するコネクタ除去機器。
【請求項４１】
前記スパイク係合器が、摩擦力によって前記スパイクと係合することを特徴とする、請求項４０に記載の機器。
【請求項４２】
前記スパイク係合器が、分離チューブを有することを特徴とする、請求項４１に記載の機器。
【請求項４３】
前記コントラ要素は、前記前記スパイク係合器にフィットするオーバーチューブを有し、前記コントラ要素の内径は、前記係合器が前記コントラ要素内にあるときに前記スパイクを閉じてクランプするような大きさとなっていることを特徴とする、請求項４０に記載の機器。
【請求項４４】
前記スパイク係合器は、一度に複数のスパイクと係合することを特徴とする、請求項４０に記載の機器。
【請求項４５】
スパイクが軸に向かって内側を向き、前記先端部が軸から離れるように外側を向くように、前記スパイクを曲げ、
前記内向きのスパイクの間の前記軸にグラフトを送出し、
グラフトをスパイクの位置に取り付ける、
複数の軸方向に伸長するスパイクを有し、そのそれぞれの先端部がコネクタの遠位端でカーブしているような一般に円筒形のコネクタにグラフトを取りつける方法。
【請求項４６】
前記送出することは、グラフトをスパイクの間でコネクタの近位端からスパイク先端部まで運搬することを含むことを特徴とする、請求項４５に記載の方法。
【請求項４７】
前記取り付けることは、グラフトを少しずつ先端部に取り付けることを含むことを特徴とする、請求項４６に記載の方法。
【請求項４８】
前記曲げることは、治具内で前記コネクタを取り付けることを含む、請求項４５に記載の方法。
【請求項４９】
前記曲げることは、スパイクの曲げられた部分によって形成される領域の径が曲げられていないスパイクによるものよりも大きくなるように、スパイクを外に曲げ、次いで内に曲げることを含むことを特徴とする、請求項４５に記載の方法。
【請求項５０】
コネクタを受ける軸方向のチャネルがあるボディと、
前記ボディの一端に取り付けられ、前記コネクタの複数のスパイクを受けるための複数の交軸方向のチャネルがあり、その中心にグラフトを受ける穴のあるプレートと、
を有する、スパイク付きのコネクタをスパイクが内に曲げられた状態で保持する治具。
【請求項５１】
前記プレートが、スロット付きの円盤を有することを特徴とする、請求項５０に記載の治具。
【請求項５２】
前記プレートの下にあり前記スパイクが捩じられたときに前記スパイクがそれに沿って運搬されるようなスロットがある、少なくとも１つの回転可能な円盤を有することを特徴とする、請求項５０に記載の治具。
【請求項５３】
前記プレートの上にあり選択的に前記円盤のスロットを前記プレートのスロットに合わせる、少なくとも１つの回転可能なスロット付きの円盤を有することを特徴とする、請求項５０に記載の治具。
【請求項５４】
前記プレートの前記スロットのうちの異なるものに少しずつ前記円盤のスロットを前記プレートのスロットに選択的に合わせることが出来るように、前記円盤のスロットは配列されていることを特徴とする、請求項５３に記載の治具。
【請求項５５】
切断面を供えた第１のセクションと、
前記第１のセクションの切断面と適合する切断面を備え、剪断を行うため第１のセクションに対して軸方向に相対運動可能な、第２のセクションと、を有し、
前記第２のセクションは、血管を貫通するようになっている尖った先端部を有し、
前記第２のセクションが可撓性を有し、前記尖った先端部が前記第１のセクションの平面部に向かうように捩じられ、その結果前記第１のセクションが前記第２のセクションに対して運動するとき、前記第１のセクションが前記第２のセクションを押してこれを動かす、
ことを特徴とする、血管に小孔を形成する血管カッター。
【請求項５６】
前記第２のセクションの切断面は鋭利になっていることを特徴とする、請求項５５に記載のカッター。
【請求項５７】
前記両切断面は、２つの切断面にほぼ共通の平面内で互いに平行ではないことを特徴とする、請求項５５に記載のカッター。
【請求項５８】
前記第２の切断面は、前記軸方向の運動の方向に垂直ではないことを特徴とする、請求項５７に記載のカッター。
【請求項５９】
前記尖った先端部は、前記第１の平面部から離れるような方向を指していることを特徴とする、請求項５７に記載のカッター。
【発明の詳細な説明】
【０００１】
［関連出願］
本発明は、ここに参照として含まれるＰＣＴ／ＩＬ／０１／００６００、ＰＣＴ／ＩＬ０１／００２６６、ＷＯ ０１／４１６２４、ＰＣＴ／ＩＬ０１／０００７４、ＷＯ ０１／４１６２３、ＷＯ ００／５６２２６、およびＷＯ ００／５６２２８のＰＣＴ出願及び公開に関連し、その一部継続である。
【０００２】
［発明の分野］
本発明は、一般に、吻合接合、特に血管間のものを行う分野に関する。
【０００３】
［発明の背景］
例えば単一のコネクタを用いて吻合接合を行うものや複数の外科クリップを用いて接合を行うものなどの、グラフトを血管に接合する幾つかの種類の方法が、以前より提案されている。端側接合では、通常、切開部または穴が側部血管に形成され、端部血管の末端が切開部または穴に取り付けられる。
【０００４】
吻合接合が完了すると、血管の一方または双方の径が変わり、例えば、伏在静脈は血管内の圧力の増大によって、自然に径が増大する。加えて、側部血管に作用する力は、血管内のあらゆる切開部や穴を広げる可能性があり、それは血液のリークにつながる可能性がある。
【０００５】
［発明の要旨］
本発明の幾つかの実施形態の一側面は、ターゲットとなる血管へのダメージを防止するために、吻合接合の高張力部に対応する部材に例えば補強材及び／またはモーションリミッタ（ｍｏｔｉｏｎ ｌｉｍｉｔｅｒ）といった特定の構成がある、吻合コネクタ、吻合接合を行うクリップのセット、及び／または吻合器移送システムに関連する。従って、本発明の一つの実施形態では、幾つかのクリップは（すべて連結されたならば）他のクリップよりもより緩く連結される。
【０００６】
本発明の例示的な実施形態では、例えばコネクタのスパイクや独立したクリップといった、複数の取り付け尖部を含むという点で特徴づけられ、この取り付け尖部は互いに相対的に運動し、例えば広がる。本発明の例示的な実施形態では、切開部の両端にある２つの取り付け尖部が、互いに連結され、これらの相対運動を減少させる。クリップの一例では、角のあるダブルクリップが選択的に切開部の両端に使用される。
【０００７】
本発明の代替の実施形態では、各組織取り付け尖部が小孔付きセグメントに定められ、コネクタ全体がその半径を増大させて変形したときに小孔付きセグメントはほとんど変形しない。
【０００８】
本発明の幾つかの実施形態の一側面は、血管の形状に従う及び／または血管の径の変化に対応するようになっている、吻合接合に関する。本発明の例示的な実施形態では、コネクタは、複数の実質独立したクリップ要素と相互接続するリングを有する。（閉じたときの）クリップのクランプポイントによって仮想リングを構成する。本発明の例示的な実施形態では、仮想リング及びリングは一致するリングではない。選択的には、両リングは、リングの面方向及び／またはリングの面に垂直な方向に並置されている。代替的または追加的には、両リングの径は互いに異なる。代替的または追加的には、リングの傾き及び／または方向は仮想リングのものとは異なる。
【０００９】
本発明の例示的な実施形態では、リングの形状の違いにより、クリップはリングに対して捩じられる。代替的または追加的には、クランプ尖部が側部血管の形状に一致する非平面状リングの形を取るように、各クリップは独立して運動可能である。代替的または追加的には、血管の形状が変化すると、各クリップの捩じりの程度も変化しうる。本発明の例示的な実施形態では、クリップは優先捩じり方向を有するように構成されており、従って、所望の血管に適合させやすくなっている。幾つかの実施形態ではクリップ要素の相対位置及び／または相対方向に制限が与えられているが、相互接続しているリングは最低限の可撓性を確保する。選択的には、リングが薄板状であるか、捩じり継手によってクリップとリングが相互接続されることによって、捩じれが許容されている。
【００１０】
本発明の例示的な実施形態では、クリップは直線状のセグメントによって相互接続される。代替的には、クリップは折り曲げセグメントによって相互接続され、これによって半径方向への拡張が許容される及び／または捩じれが支えられる。
【００１１】
本発明の例示的な実施形態では、吻合コネクタは、複数のクリップと、クリップ内に血管組織を引き込む組織プラーと、を有する。
【００１２】
本発明の他の例示的な実施形態では、コネクタはベースプレート型のコネクタであり、ベースプレートが可撓性を有しベースプレートが側部血管に適合できるようになっている。
【００１３】
本発明の例示的な実施形態では、独立したクリップまたはベースプレート部分は、それが小孔付きのものであっても、コネクタ全体が変形したときにほとんど変形しない。
【００１４】
本発明の幾つかの実施形態の一側面は、弾性的なリングが例えばクリップやフック先端部といった別に特許された複数の組織ホルダと相互接続し、その各々が２つの血管管壁を互いにクランプするような、リング型吻合コネクタに関する。本発明の例示的な実施形態では、リングによって所望の吻合半径が定まる。リングは弾性的または塑性的に変形し、血管が拡大した場合は、より大きな半径を保持する。代替的または追加的には、リングは、一定の大きさになるように血管を半径方向に弾性付勢する。バイパス後の挙動が異なるような、異なる弾性値を異なる血管に対して用いてもよい。本発明の幾つかの実施形態では、例えば血管の変形を許容する、穴閉塞機器のための異なる構成が用いられる。
【００１５】
本発明の実施形態の一側面は、１つまたは２つのプラーの通路となる小孔を含むクリップに関する。クリップは、血管組織と係合する１つまたはそれ以上のスパイクを含んでいてもよい。選択的には、小孔はまた、組織を引き込んでいる間、クリップホルダを収容している。
【００１６】
代替的または追加的には、小孔は、配置中にクリップを所定箇所に保持し、またはクリップ変形要素をガイドするために使用される。
【００１７】
本発明の幾つかの実施形態の一側面は、そのそれぞれが異なる血管に対応する２つのプラーが同軸に並べられているような、プラーが２つ一組となっている形状に関する。本発明の例示的な実施形態では、１本のプラーが、他のプラー内に形成されたスロットに沿って挿着される。
【００１８】
本発明の代替の実施形態では、吻合コネクタは、複数のフックしたプラーがそこを通って伸長するような、小孔付きのベースを有する。選択的には、各小孔は、プラーが一旦後退引き込みされたときにプラーの係合外れを防止するため、プラーの形状に合う１つまたはそれ以上のタブを伴う。
【００１９】
本発明の幾つかの実施形態の一側面は、吻合部の欠陥を補正する縫合を行うことのできるベースプレート型の吻合コネクタに関する。本発明の例示的な実施形態では、ベースプレートは小孔を伴うか疏な構成となっており（全てのスペースが埋まっているわけではない）、そこを通って針が挿入される余地を許容する。代替的または追加的には、ベースプレートは貫通可能な物質からなる。選択的には、ベースプレートは可撓性を有し、縫合中にベースプレートの変形を許容し及び／または吻合を行うことができる。
【００２０】
本発明の幾つかの実施形態の一側面は、プラー係合要素の構成に関する。本発明の例示的な実施形態では、要素は、プラーが一旦後退引き込みされたときにプラーの係合外れを防止するタブを含む。本発明の例示的な実施形態では、タブの形状はカーブしており、限られたスペース内でタブの長さをより長くすることができる。十分なタブの厚さ及び／または冶金処理によって、選択的には、タブが長くても十分な強度、弾性、及び／または運動範囲を持つ。１つ、２つ、またはそれ以上のタブがあってもよい。
【００２１】
本発明の幾つかの実施形態の一側面は、バーを含むプラー係合要素に関し、このバーはプラーのフック状先端部と係合する。本発明の例示的な実施形態では、バーのような短いセグメントによって分断された２つの開口としての小孔がある。プラーは開口の一方を通って伸長し、これが後退引き込みされると、プラーのフック状先端部は他の開口に向かって伸長する。
【００２２】
本発明の幾つかの実施形態の一側面は、吻合コネクタを配置中にそのベース部を保持する方法に関する。本発明の例示的な実施形態では、少なくとも２つのヒンジ付きタブによって移送システムに対してベース部が保持される。ベースをリリースしようとすると、タブがリリースされて回転可能となり、ベースプレートの運動を妨げなくなる。本発明の例示的な実施形態では、タブはその外周部セクションに保持部があり、また小孔をフックする内周部セクションに近い要素によって回転が防止される。この要素を後退引き込みすることによってタブはリリースされるので、タブは小孔を通り過ぎるように引かれてベース部をリリースする。
【００２３】
本発明の幾つかの実施形態の一側面は、長いプラーを有する吻合コネクタに関し、プラーは変形してグラフトのコネクタへの取り付けを補佐する。本発明の例示的な実施形態では、プラーは後方にカーブした先端部を含み、そのカーブは１８０度である。本発明の例示的な実施形態では、プラーは曲げられた後に戻され、先端部はコネクタの軸から９０度傾いて放射状に外を向く。例えば先端部を覆うように開口縁を引き込むことにより、グラフトは取り付けられる。本発明の例示的な実施形態では、グラフトが取り付けられた後に、プラーがリリースされて直線状になる。代替的または追加的には、配置中に、プラーの長さが足りない場合は、代わりに後退引き込みをより長く行う。
【００２４】
本発明の幾つかの実施形態の一側面は、吻合器移送システム及び／または穴開けシステムの伸長機構に関する。本発明の例示的な実施形態では、開胸、キーホール、及び／または内視鏡外科手術に同一のシステムを用いる。本発明の例示的な実施形態では、移送システムは、前進、後退引き込み、及び／または回転してシステムの操作に影響を与える、少なくとも１つの軸方向ロッドを含む。本発明の例示的な実施形態では、ロッドは、所望のカップリングを形成するために結合する２つの部分からなる。移送システムを伸長するために、２つの部分の連結は外れ、マッチング結合機構を備えた伸長ピースが挿入される。従って、例えばプラーがベース部に後退引き込みされた吻合器移送システムは、当初のロッドと連結したプラーと当初のロッドと連結した伸長ロッドとを有する。引き込み及び以後動作機構は、選択的には移送システムのハンドル内に位置する。
【００２５】
本発明の例示的な実施形態では、吻合器移送機構は、移送システム及び／または伸長部に取り付けることのできるモジュラーカプセルとして提供される。選択的には、穴開け器と吻合器の移送を行う同一の駆動機構が提供され、穴開けカプセルを移送カプセルに交換するだけで同一の機構を両処理に使用可能である。両カプセルは、例えばロッドの後退引き込み及び／または回転によって動作可能となる。
【００２６】
選択的には、カプセルは、例えば回転レバーといった、少なくとも挿入プロセスでプラーを前進及び／または後退引き込みするためのレバーを含む。本発明の例示的な実施形態では、少なくとも１つ、選択的には２つのプラー位置でロックする。このようなレバーは、本発明のカプセルを用いない実施形態での分離型コントロールとして提供されてもよい。
【００２７】
選択的には、伸長部は、他の実施形態のような剛体ではなく、可撓性を有する。選択的には、内視鏡外科手術をアシストするためのカメラ及び／または光源用のチャネルが伸長部内にある。
【００２８】
本発明の例示的な実施形態では、移送システムは、ロッドの後退引き込みによってシステムが分割し、移送された血管をリリースするような分割型のシステムである。本発明の例示的な実施形態では、移送システムの末端が伸長ピースと連結し、分割が行われたときでも連結が外れない、これは、例えばロッドインターロックを介するか、末端と伸長部のボディとの間のインターロックを用いることによって成される。
【００２９】
本発明の幾つかの実施形態の一側面は、直線状ではない経路に沿って使用するための、少なくとも１つのヒンジ及び／または変形可能な部分を含む、吻合器移送システムに関する。本発明の例示的な実施形態では、移送システムは、力（後退引き込みのための力）を移送システムのハンドルからコネクタに伝達する可撓性のケーブルを含む。本発明の実施の形態では、１箇所、２箇所、３箇所、或いはそれ以上の箇所で、移送システムにヒンジが取り付けられる。本発明の他の実施形態では、移送システムは、グースネック（ｇｏｏｓｅｎｅｃｋ）状であり、その全長にわたって可撓性を有する。
【００３０】
本発明の幾つかの実施形態の一側面は、血管用のサイドカッターに関する。本発明の例示的な実施形態では、サイドカッターは、鋭利な先端部を備えたＬ字状の要素を含む。先端部は、血管内に進入し、Ｌ字部の一方のアームが先端部に続いて血管内に挿入される。Ｌ字状要素は、選択的には、アームが血管の軸と平行となるように回転する。Ｌ字状要素は、次いでベースに対して後退引き込みされ、選択的にはＬ字の鋭利な内縁によって切断される及び／またはベースに対して剪断される。ベースは、選択的には鋭利である。ベースは、Ｌ字状要素の一面上にあるか、或いはＬ字状要素を挟んでいてもよい。選択的には、Ｌ字の切断アームは、ベースに平行であり、代替的には、アームは、カッターの軸に対して、ベースに向かうように傾いているかベースから離れるように傾いていてもよい。本発明の例示的な実施形態では、切断アームは可撓性を有し、ベースの面に向かって捩じられる。
【００３１】
本発明の実施の形態の一側面は、例えばグラフトをコネクタにとりつけた後または吻合が終了した後に、血管からコネクタを取り外す機器に関する。本発明の例示的な実施形態では、コネクタは１つの血管（またはグラフト）の周りに配置されるリングと、リングから伸長して（或いは、例えばリングを通過して）スパイクの鋭利な先端部をもって第２の血管に進入するスパイクと、を有する。本発明の例示的な実施形態では、機器は、リングの位置で１つのスパイクと係合し、次いでリングに対してスパイクを後退引き込みするようになっている、少なくとも１つの鉗子を有する。選択的には、リングは、後退引き込みされたときにスパイクが直線状になるようにする。選択的には、機器は、リングのタブ部の運動を妨害しない。なお、タブ部は、通常の状態においてスパイクの後退引き込みを防止するよう構成されているものである。代替的には、機器は、タブを邪魔にならないように曲げる突出部を含む。代替的には、鉗子がタブに係合してこれを引き戻す。
【００３２】
それ故に、本発明の例示的な実施形態によれば、
複数のクリップセグメントと、
クリップセグメントを相互接続する、複数の捩じることが出来る弾性的なセグメントと、
を有する、吻合コネクタが提供される。選択的には、前記セグメントは、前記クリップセグメントによって定まる平面から離れて曲げることが出来る。代替的または追加的には、前記取り付けセグメントの弾性は、前記コネクタの径の変化の挙動をコントロールするよう定められる。
【００３３】
選択的には、前記クリップセグメントは、クリップが閉じたときにターゲットとなる組織に進入しない。代替的には、前記クリップセグメントは、クリップが閉じたときにターゲットとなる組織に進入するが、前記組織を貫通することは無い。
【００３４】
また、本発明の例示的な実施形態によれば、
複数のクリップセグメントであって、そのそれぞれによって、そこでクリップの両端が組織と係合するクリップ当接エリアが定まるようなものと、
クリップセグメントと相互接続する複数の取りつけセグメントと、を有し、前記取り付けセグメントが第１の円周上に配置され、前記当接エリアは第２の円周上に配置され、前記２つの円周は同一ではない、
ことを特徴とする、吻合コネクタが提供される。選択的には、前記取り付けセグメントの弾性は、前記コネクタの径の変化の挙動をコントロールするよう定められる。代替的または追加的には、前記円周は同一の平面上には無い。
【００３５】
また、本発明の例示的な実施形態によれば、
複数の接続セグメントであって、そのそれぞれによって、前記セグメントとターゲットとなる血管との間での当接エリアが定まるようなものと、
前記接続セグメントと相互接続し、前記接続セグメントの相対運動を制限する複数の取り付けセグメントと、を有し、前記取り付けセグメントの幾つかは、前記接続セグメントの相対運動が、他の接続セグメントの運動よりも大きくなるよう制限する、
ことを特徴とする、吻合コネクタが提供される。選択的には、前記接続セグメントは、それぞれ、その中でターゲットとなる血管と係合するプラーが前進及び後退引き込みされる、小孔付きセグメントを有する。代替的または追加的には、コネクタは、ベースプレートを有し、前記接続セグメントは、それぞれベースプレート上に小孔付きエリアを有する。代替的または追加的には、前記接続セグメントは、それぞれクリップ要素を有する。代替的または追加的には、前記コネクタは、ひずみの程度が大きいと考えられるターゲットとなる血管のエリアに対しては、相対運動がより大きくなるよう制限するように構成されている。代替的または追加的には、前記接合セグメントは楕円状に配列され、セグメント間の相対運動は楕円の長半径方向両端で減少する。
【００３６】
また、本発明の例示的な実施形態によれば、吻合コネクタであって、
その中に複数の小孔があるベースプレートと、
前記コネクタの配置中に前記小孔の少なくとも幾つかを通過するようになっている１セットのプラーと、を有し、
前記ベースプレートは、ベースプレートを通って針を用いて吻合接合部を十分に縫合できるように、疏な構成となっている、
ことを特徴とするものが提供される。
【００３７】
また、本発明の例示的な実施形態によれば、
複数のクリップセグメントであって、各クリップによってその中でクリップが組織と係合する係合ボリュームが定まるものと、
前記クリップセグメントと相互接続している取り付けセグメントと、
そのそれぞれが組織係合部を備えた１セットの組織プラーと、を有し、
前記クリップには複数の小孔があり、前記組織プラーは、係合した前記クリップの係合ボリューム内の組織を携行して後退引き込みされるように、前記小孔を通って伸長するようになっている、
ことを特徴とする、吻合コネクタが提供される。選択的には、前記小孔は、コネクタホルダを用いて前記コネクタを保持するようになっている。代替的または追加的には、前記組織プラーは、２つ一組の軸方向に伸びるプラーを有し、各組は互いに同軸に配列された２つのプラーを有する。選択的には、コネクタの前記組の一方は、ターゲットとなる血管の組織と係合するようになっており、プラーの前記組の他方は、前記吻合が終了する前に前記コネクタが取り付けられているターゲットとなる血管の組織と係合するようになっている。代替的または追加的には、前記組の少なくとも１つは前記小孔よりも広い先端部を備え、前記小孔の一方の側の待機ポイントにクリップがあるとき、プラーを後退引き込みすると前記クリップが閉じる。
【００３８】
また、本発明の例示的な実施形態によれば、
その中に複数の小孔があるベースプレートと、
前記コネクタの配置中に前記小孔の少なくとも幾つかを通るようになっている１セットのプラーであって、前記プラーのそれぞれは組織係合先端部を含んでいるものと、を有し、
前記小孔は２つ一組で並べられており、小孔の１つはプラーを受け、プラーが後退引き込みされると前記小孔の１つはプラーの先端部を受ける、
ことを特徴とする吻合コネクタが提供される。選択的には、前記コネクタは、その周りに前記プラーのフックが配置されるようなバーを有し、前記バーは前記２つ一組の小孔の境界となっている。
【００３９】
また、本発明の例示的な実施形態によれば、吻合コネクタであって、
その中に複数の小孔があるベースプレートと、
前記コネクタが配置されている間に、前記小孔の少なくとも幾つかを通るようになっている１セットのプラーと、を有し、
前記プラーのそれぞれが、
先端部と、
タブ部であって、前記プラーがタブの近くで取り外されたとき、前記プラーの平面から離れて変形するようになっているものと、
を有する、吻合コネクタが提供される。
【００４０】
また、本発明の例示的な実施形態によれば、
ボディと、
前記ボディに取り付けられる少なくとも１つのスロット付きの前部プレートと、を有し、
前記プレート及び前記ボディの間に、吻合コネクタ用の貯蔵器があり、前記スロットは前記ベースプレート内に形成された小孔に適合し、阻止は係合スパイクの伸長部がそこを通り、
前記前部プレートは、前記コネクタが配置されたときに、前記ベースプレートの運動軸から離れるように曲がるようになっている、
ことを特徴とする吻合コネクタ用移送システムが提供される。選択的には、前記前部プレートは、少なくとも１つのヒンジ上に取り付けられる。代替的または追加的には、前記前部プレートは、少なくとも２つの同一平面上のプレートに分割される。代替的または追加的には、前記前部プレートは、変形可能な取り付け器具を介して前記ボディに取り付けられる。
【００４１】
また、本発明の例示的な実施形態によれば、吻合コネクタ用移送システムであって、
力を働かせるためのハンドルを含むボディと、
前記ボディと結合するようになっており、またコネクタを携行するカプセルであって、前記結合部によって前記力が伝達されて前記コネクタを配置するようになっているものと、
選択的に前記ボディと前記カプセルとの間に接続されるようになっており、それによって前記移送システムの到達範囲を伸長する、伸長部と、
を有する、吻合コネクタ用移送システムが提供される。選択的には、前記伸長部は屈曲可能である。
【００４２】
また、本発明の例示的な実施形態によれば、
力を働かせるためのハンドルを含むボディと、
前記ボディの遠位端にあり、吻合コネクタを保持するようになっているコネクタホルダエリアであって、前記力が前記エリアに伝達されて前記コネクタを配置するものと、
前記ボディと前記エリアの間にあり、非弾性的に形状が変化する延長セクションと、
を有する、吻合コネクタ用移送システムが提供される。選択的には、前記延長セクションにはヒンジが取り付けられている。代替的または追加的には、前記延長セクションは変形可能である。代替的または追加的には、前記システムは、前記ハンドルと前記エリアの間で前記力の伝達を行う、可撓性のケーブルを有する。
【００４３】
本発明の例示的な実施形態では、前記システムは、配置中に前記力によって後退引き込みされる複数の組織係合要素を有するコネクタの２つの部分を保持して配置するようになっており、コネクタのベースリング部がホルダエリアによって係合し、コネクタの組織プラー部が前記力によって後退引き込みされる。
【００４４】
また、本発明の例示的な実施形態によれば、
力を働かせるためのハンドルを含むボディと、
前記ボディの遠位端にあり、吻合コネクタを保持するようになっているコネクタホルダエリアであって、前記力が前記エリアに伝達されて前記コネクタを配置するものと、
選択的に複数の組織係合要素を前記コネクタホルダエリアから前進させるコントロールであって、前記コントロールが力を働かせるためのハンドルから分離しているようなものと、
を有する、吻合コネクタ用移送システムが提供される。選択的には、前記コントロールは、回転ノブを有する。代替的または追加的には、前記コントローラは、前記コネクタホルダエリアを含む分離型のカプセル要素に取り付けられている。代替的または追加的には、前記組織係合要素は、コネクタの一部分を形成する。代替的または追加的には、前記組織係合要素は、前記移送システムの一部分を形成する。
【００４５】
また、本発明の例示的な実施形態によれば、
配置されたコネクタの少なくとも１つのスパイクと係合するようになっている少なくとも１つのスパイク係合器と、
前記スパイク係合器に対して軸方向に運動可能であり、前記スパイク係合器が前記スパイクを前記軸方向運動によって前記ベース部から離れるように後退引き込みしている間は前記コネクタのベース部に対して退避するようになっている、軸方向に延びたコントラ要素と、
を有する、スパイクとベース型コネクタの中で吻合接合を行うスパイクを除去するコネクタ除去機器が提供される。選択的には、前記スパイク係合器は、摩擦力によって前記スパイクと係合する。選択的には、前記スパイク係合器は、分離チューブを有する。代替的または追加的には、前記コントラ要素は、前記前記スパイク係合器にフィットするオーバーチューブを有し、前記コントラ要素の内径は、前記係合器が前記コントラ要素内にあるときに前記スパイクを閉じてクランプするような大きさとなっている。代替的または追加的には、前記スパイク係合器は、一度に複数のスパイクと係合する。
【００４６】
また、本発明の例示的な実施形態によれば、
スパイクが軸に向かって内側を向き、前記先端部が軸から離れるように外側を向くように、前記スパイクを曲げ、
前記内向きのスパイクの間の前記軸にグラフトを送出し、
グラフトをスパイクの位置に取り付ける、
複数の軸方向に伸長するスパイクを有し、そのそれぞれの先端部がコネクタの遠位端でカーブしているような一般に円筒形のコネクタにグラフトを取りつける方法が提供される。選択的には、前記送出することは、グラフトをスパイクの間でコネクタの近位端からスパイク先端部まで運搬することを含む。代替的または追加的には、前記取り付けることは、グラフトを少しずつ先端部に取り付けることを含む。代替的または追加的には、前記曲げることは、治具内で前記コネクタを取り付けることを含む。代替的または追加的には、前記曲げることは、スパイクの曲げられた部分によって形成される領域の径が曲げられていないスパイクによるものよりも大きくなるように、スパイクを外に曲げ、次いで内に曲げることを含む。
【００４７】
また、本発明の例示的な実施形態によれば、
コネクタを受ける軸方向のチャネルがあるボディと、
前記ボディの一端に取り付けられ、前記コネクタの複数のスパイクを受けるための複数の交軸方向のチャネルがあり、その中心にグラフトを受ける穴のあるプレートと、
を有する、スパイク付きのコネクタをスパイクが内に曲げられた状態で保持する治具が提供される。選択的には、前記プレートは、スロット付きの円盤を有する。代替的または追加的には、前記治具は、前記プレートの下にあり前記スパイクが捩じられたときに前記スパイクがそれに沿って運搬されるようなスロットがある、少なくとも１つの回転可能な円盤を有する。代替的または追加的には、前記治具は、前記プレートの上にあり選択的に前記円盤のスロットを前記プレートのスロットに合わせる、少なくとも１つの回転可能なスロット付きの円盤を有する。選択的には、前記プレートの前記スロットのうちの異なるものに少しずつ前記円盤のスロットを前記プレートのスロットに選択的に合わせることが出来るように、前記円盤のスロットは配列されている。
【００４８】
また、本発明の例示的な実施形態によれば、
切断面を供えた第１のセクションと、
前記第１のセクションの切断面と適合する切断面を備え、剪断を行うため第１のセクションに対して軸方向に相対運動可能な、第２のセクションと、を有し、
前記第２のセクションは、血管を貫通するようになっている尖った先端部を有し、
前記第２のセクションが可撓性を有し、前記尖った先端部が前記第１のセクションの平面部に向かうように捩じられ、その結果前記第１のセクションが前記第２のセクションに対して運動するとき、前記第１のセクションが前記第２のセクションを押してこれを動かす、
ことを特徴とする、血管に小孔を形成する血管カッターが提供される。選択的には、前記第２のセクションの切断面は鋭利になっている。代替的または追加的には、前記両切断面は、２つの切断面にほぼ共通の平面内で互いに平行ではない。代替的または追加的には、前記第２の切断面は、前記軸方向の運動の方向に垂直ではない。代替的または追加的には、前記尖った先端部は、前記第１の平面部から離れるような方向を指している。
【００４９】
本発明の限定されない形態は、以下の例示的な実施形態の記述を図面と共に参照して記述されるだろう。図面には一般に寸法どおりに示されたものではなく、またいかなる計測値も例示的なものであり必ずしも限定を伴うものではない。図面においては、１つ以上の図面に現れる同一の構造、要素または部位には、これらが現れる全ての図面において同一または類似の符号が好適に割り当てられる。
【００５０】
図１は、本発明の例示的な実施形態による、複数のプラー１１８及び１２０を有するクリップ配置システム１００上に設けられた吻合クリップセット１０１を示したものである。
【００５１】
プラー１１８をターゲットとなる側部血管の開口に挿入して、プラーを用いて血管管壁を複数のクリップ１０２の中に引き込むことによって、吻合接合は行われる。端部血管の組織もまた、それと同じまたは異なるプラーを用いて、クリップ内に引き込まれる。次いで、クリップは閉じられ、２つの血管同士をロックする。プラーと血管との様々な構成が、本譲受人の以前の出願内で提案されている。この代表的な例においては、明瞭性のために示されていないが、クリップごとに２つのプラーが用意されている。
【００５２】
本発明の例示的な実施形態では、プラーの一方または両方が、各クリップのボディ１０６内に形成された小孔１０４を通っている。図１では、表示の明瞭性のために、クリップ１０２のすべてがプラーを備えていないようになっているが、本発明の幾つかの実施形態でも、プラーの一方または両方ごとの全てに必ずしもクリップが実際に用意されているわけではない。
【００５３】
本発明の特定の実施形態では、インナーリング１１６とアウターリング１１４を有するホルダ１１２上に置かれる。追加のプラー（図示せず）をクリップのいずれかの側に使用するなど、例えばクリップを後退引き込みすることによって、クリップは閉じられる。代替的には、クリップを閉じるためにプラーを用いる。本発明の幾つかの実施形態では、プラーのフック状先端部が、クリップ１０２のボディ１０６を強制的に付勢し、その結果クリップは閉じる。代替的には、プラー先端部は、クリップボディ１０４に力を加えられるのに十分な幅を有していてもよい。次いで、プラーは、さらに引き込まれるか分断されるように、変形する（開く）。プラー先端部の一方または両方は、選択的には、血管組織に進入するようになっている。代替的には、これらは血管組織に進入しないようになっている。
【００５４】
本発明の例示的な実施形態では、例えばプラー１１８と１２０のように、プラーが並んでいる。代替的には、例えばプラー１２２がスロット付きのシャフト１２４を有し、その中にプラー１１８が収まっている状態のように、プラーが同軸に配置されている。図示されているように、先端部１２６はクリップを変形させるように十分広くなっている。
【００５５】
クリップの両端は、選択的には、鋸状になっていて、例えば４本の歯１０８及び１１０がクリップの両側に形成されている。歯の数はより少なく（例えば２本）てもよい。選択的には、歯同士が噛み合う（図示せず）。血管組織に有意な深さ進入する及び／または組織の１つまたはそれ以上の層を貫通するスパイクが、クリップの両端に形成される。代替的には、クリップは、血管に進入しない、または血管を貫通しない。
【００５６】
クリップを塑性変形させることに対する代替として、本発明の例示的な実施形態では、例えば弾性、超弾性、形状記憶などによって、自己変形する。図２に、本発明の例示的な実施形態による、弾性クリップの移送システム２００を示す。明瞭性のため、単一のクリップとプラーのみが示されているが、典型例では１つ以上のクリップが一度に配置される。例示的な弾性クリップ２０２は、自己変形するという点を除いて（例えば小孔２０６を伴う）クリップ１０２と同一の外形であってもよく、タブ２０２とタブ２１０によって閉じられないよう規制されている。タブは、例えば図示されているようにタブ２１２が小孔２０６の内側から、及び／または例えば図示されているようにタブ２１０がその外側から、クリップをその両端で保持してもよい。代替的には、クリップはその側方から保持され（、選択的にはホルダの回転によってリリースされ）てもよい。
【００５７】
本発明の例示的な実施形態では、アウターリング２１４上に複数のタブ２１０が設けられており、インナーリング２１６上に複数のタブ２１２が設けられている。使用の際は、プラー１２２及び１１８（或いはただ１つのプラー）は、組織をクリップ２０２内に後退引き込みするために使用され、次いで、クリップをリリースして閉じた状態に自己変形させるために、インナーリング２１６が後退引き込みされる及び／またはアウターリングが前進する。
【００５８】
図３は、本発明の例示的な実施形態による、塑性変形するクリップを用いた移送システム３００を図示したものである。クリップ１０２の両サイドと係合する２つのクリップホルダ３０４及び３０６が示されている。示されるように、ホルダの形状はプラー状であり、小孔１０５内に通されている。選択的には、ホルダは２つのプラーを分断するような位置にある。代替的または追加的には、ホルダはクリップ１０２の外側にある。使用時は、プラー１１８及び１２０が組織をクリップ１０２内に引き込んだ後に、クリップを保持しているリング３１４と３１６の間のスペースよりも長くなっている（開状態になっている）クリップを、ホルダ３０４及び３０６が後退引き込みし、それによってクリップは曲げられる。代替的または追加的には、２つのリングは互いに近づき、クリップを押しつぶして閉じる。選択的には、リングの径は変わらず、また同軸でないシャフトに支持され、リングが回転するとリング間の幅が変化する。
【００５９】
選択的には、ホルダ３０４及び３０６は、さらに後退引き込みされて、それらの先端が変形し、除去される。
【００６０】
図４は、複数のクリップ４０２が軸方向ではなく内側に向いているような、代替のクリップシステム４００を示したものである。一例においては、図示されているようにクリップ４０２は常に閉状態であり、選択的にクリップ４０２の小孔４０４を通っているプラー（図示せず）は、クリップ４０２の１つまたはそれ以上のスパイク４０８を通過して組織を引き込む。代替的には、クリップ４０２は自己変形型であり、クリップ（選択的にはスパイクを有さない）が平坦である間にプラーは組織を後退引き込みする。クリップは次いでリリースされ、自己変形して図４の状態となる。選択的には、ベースリング４１０がクリップに固定され、その相対位置を制御する及び／またはクリップの一側面を押さえ込む。選択的には、吻合が完了したのち、リングは取り外される。代替的には、リング４１０は体内に残り、例えば下記のように、リングは変形可能である。一例においては、設置中に、複数のクリップホルダ（図示せず）がリング４１０に対してクリップ４０２を付勢する。他のクリップの方向づけの方法もまた可能である。
【００６１】
図５は、本発明の例示的な実施形態による、代替のクリップの構成５０２を図示したものである。クリップ５０２の１つまたはそれ以上のスパイク５０８は、例えば、（図示されているように）カーブしているか、（図４に示されているように）反対方向にカーブしている。ボディ５０４の小孔５０６の大きさ及び形状もまた、変更可能である。図７に示されているように、幾つかのケースでは、小孔は２つの部分に分割されている。
【００６２】
図６Ａ及び６Ｂは、本発明の例示的な実施形態による、クリップ−リングコネクタ６００を図示したものである。
【００６３】
コネクタ６００は、短いセグメント６１６でつながれてリングの一部となるような、複数の別に特許されたクリップ要素６０２を有する。示された特定の実施形態では、クリップのタイプは１つであるが、これは必須要件ではない。示されるように、クリップは、末端が接触表面６１２及び６１４となっている、内側に突出する伸長部６０８及び６１０を有する楕円形のボディ６０４を有する。代替のクリップの構成としては、スパイクの使用など、閉じていないボディや楕円形でないボディの使用もまた、提供され得る。選択的には、閉じたボディ６０４によって形成される小孔６０６は、１つまたはそれ以上の組織プラー用のチャネルの役割を持つ。
【００６４】
本発明の例示的な実施形態では、クリップ６０２は折り曲げられて閉じ、表面６１２及び６１４で選択的に折り曲げられる伸長部同士の先端が当接する。図６Ｂは、このような閉じたクリップの側面図である。例えば、クリップが自己変形型であれば、カーブした形状となる。図２のものと類似の機器が、選択的に配置に使用される。
【００６５】
本発明の例示的な実施形態では、リング６１０の中心からずれた位置にある様々な径を有しうる仮想リング６１８上で、伸長部６０８及び６１０は当接する。スパイクが伸長部の代わりに使用される場合は、スパイクは選択的には、仮想リング６１８上でクランプされた組織と確実に当接する組織ストップを含む。図６Ｂは、表面６１２と６１４が当接している状態を示したものである。
【００６６】
本発明の例示的な実施形態では、閉じたクリップは、リング６１６の周りで捩じられる及び／または折り曲げられ、コネクタ全体が血管の径の変化により適合できるようになる及び／または、側部血管の表面とよりよく合い側部血管の過度のひずみをよりよく防止する。
【００６７】
選択的には、例えば下記の構成のように、セグメントが真直ではなくカーブしている場合は、リング６１６は拡大可能である。
【００６８】
図７Ａ−７Ｅは、本発明の例示的な実施形態による、小孔型の吻合コネクタを示したものである。このようなコネクタにおいては、複数のプラーが組織をベースプレート７０２に向かって引き込み、次いで、プラーが剪断されてその先端部７０６のみが離れて組織をベースプレートに向かって付勢する。先端部７０６とベースプレートの双方は、体内に残る。しかしながら、下記の様々な特徴（例えばフレキシブルベースプレート）は、先端部が体内に残らないようなクリップを用いる機器（例えばフレキシブルクリップリング）に使用され得る、という点を留意されたい。
【００６９】
図７Ａは、ベースの小孔の幾つかが独立した要素および２つまたはそれ以上の小孔を含むミニベースプレートとして提供される、ハイブリッド・ベース−プレートコネクタ７００を示したものである。要素は、選択的に、移送システム（例えば、プラーの延長部と接触する）及び／または血管によって、配置が終わった後に共に保持される。示された実施形態では、複数の独立した小孔を伴うプレート７１２は、それぞれ１つの小孔７１６と２つ一組のタブ７１８を有し、それらはそこに通されるプラー７０４の経路をコントロールする。コネクタの両端には、２つの小孔を備えたより大きいベースプレート７１４がある。本発明の例示的な実施形態では、コネクタは血管の切開部内を通って挿入される。切開部の両端で２つの組織結合ポイントが相対的に運動する（これは切開部を広げて血液の流出を招く可能性がある）のを防止するために、より大きなベースプレートが用意されている。幾つかの実施形態では接合プロセスは血管内での応力上昇を招くので、小孔プレートは相互に接続せず、プラーを後退引き込みするガイドが相互接続して切開部両端での運動を防止する。
【００７０】
示される例示的な実施形態では、それぞれのプラー７０４は、タブ７１８と突出部７０８を備えたシャフト７０４を有する。選択的なプラー剪断ポイント（例えば板薄部）は示されていない。本譲受人の以前の出願内で記載されているように、プラーには、プラー先端部が小孔から落下するのを防止するためのタブがある。タブは切断プレート（図７Ｃの７４４）を通過しないようになっており、さらにプラーを後退引き込みすると、例えばプラーシャフトの薄板部といった剪断ポイントでプラーは分断される。
【００７１】
選択的には、例えば小孔プレート同士の相対的な回転及び／またはねじり運動を可能にする弾性ばねを用いて、他の小孔プレート同士が相互接続されている。このような例示的なベースプレート７２０が、図７Ｂに示されている。
【００７２】
ベースプレート７２０は、弾性ばねセグメント７２６と相互接続された複数の小孔要素７２２を有する。選択的には、リングの末端には、比較的剛性の高い接続セグメント７２４がある。
【００７３】
各小孔要素７２２は、選択的には、小孔を２つに分割する１本のバー７３０と、プラーの通路となる通路小孔７３４と、プラーの先端部を受けるためのフック小孔７３６と、を有する。本発明の例示的な実施形態では、プラーの先端部は、バー７３０の面部を通過する。選択的には、先端部の運動の自由度を上げるため、フック小孔は通路小孔よりも大きくなっている。他の実施形態では、プラーの先端部は、小孔に入らない。先端部は、ターゲットとなる組織に進入してもしなくてもよい。
【００７４】
本発明のいくつかの実施形態では、１つまたはそれ以上のタブ７２８が、突出部７０８と係合し、一旦タブを越えて後退引き込みが行われたときにプラーが落下するのを防止する。配置が終わると、タブ自身、或いは血管管壁に支持されたタブは、タブの逆方向の運動を防止しうる。選択的には、タブはカーブしており、小孔要素２２の限られたスペース内で長寸法を確保できる。
【００７５】
本発明の例示的な実施形態では、ベースプレート７２０は疏な構成となっており、マニュアルでの縫合を行って、吻合接合が強化されるまたは修正される。
【００７６】
図７Ｃは、円周方向に収縮したベースプレート７２０を示したものであり、ばねセグメント７２６が曲がり、円周方向の圧迫の影響を受けにくい小孔エレメント７２２は互いにより接近する。ベースプレート７２０は、弾性的または塑性的に変形してもよい。本発明の例示的な実施形態では、ベースプレート７２０は、吻合を行う血管の変形をコントロールするために使用される。一例では、ベースプレート７２０は、プリストレスされて、現在の径よりも小さいまたは大きい所望の径となる。他の例では、ベースプレート７２０は、血管の過度の拡大に抗して動作する。本発明の例示的な実施形態では、血液が末端向け（例えば冠状血管ツリー内）に流れる場合と主幹部向け（可能な側副血管へ）に流れる場合の両方に対して、十分な量の血液が流れるように、吻合部の径は選択される。
【００７７】
本発明の例示的な実施形態では、ベースプレート７２０の周長は、５％、１０％、２０％或いはそれ以下、それ以上、その中間の割合で増加する。選択的には、小孔エレメント７２２にも、例えば上記のもののような、クリップ機能がある。
【００７８】
図７Ｄは、例示的な配置が行われているときのベースプレート７２０の部分切断図である（いくつかの部品は、明瞭性のために除去され、またいくつかの部品はベースプレート７２０全体ではなくベースプレートの一部のみを覆うように図示されている）。選択的なスペーサ７４０があり、これはバー７３０（図示せず）の運動を防止するタブ７４２を有し、その一方でタブ７２８及びプラーの通路の運動は可能としている。切断プレート７４４は、後退引き込みによってそこでプラーが剪断されるような強固なベースである、複数の小孔７４６を有する。図７Ｅもまた部分切断図であり、これはベースプレート７２０が体内に落下するのを防止する選択的なホルダ７５０を示したものである。吻合が開始また終了した後、ホルダ７５０は引き戻される。一例では、ホルダ７５０にはヒンジが取り付けられ、広げられる。他の実施形態では、ホルダ７５０は、後退引き込みによって変形する。他の実施形態では、ホルダ７５０は半径方向に引き出される。
【００７９】
図８Ａ−８Ｄは、本発明の例示的な実施形態による、伸長可能な移送システム８００を示したものであり、これはコネクタの実際の運動がモジュラーカプセル８０２によって行われるようなものである。類似の構成が、他の種の吻合器移送システム及び／または穴開けや縫合といった内視鏡を用いた他の作業に使用されうる。このようなモジュラー構成の潜在的な優位点は、単一のシステムで、例えば内視鏡、キーホール、開胸といった異なる外科手法に使用可能であるという点である。他の潜在的な優位点は、ある処置の多様な部分に単一のハンドルを用いることができ、キット内のコンポーネントの数を減らすことができるという点である。
【００８０】
本発明の例示的な実施形態では、ロッドの回転、後退引き込み、または前進を用いるあらゆる内視鏡器具を、パワーと制御機構の適切な組み合わせによって、モジュラーとすることができる。典型的には、パワーと制御機構の両方が同一の要素によって提供される。
【００８１】
図８Ａは、図７Ｂ−７Ｅに示されたコネクタ８０４と、血管を挿入するための小孔８０６と、吻合が行われた後にカプセルを分割して取り除くための分割部と、を含むコネクタカプセル８０２を示したものである。ロック機構８１０は、移送システムの残りの部分をロックし、ロッド伸長部８０８は、ハンドル（図８Ｂ）からの後退引き込みを伝達してプラーを後退引き込みする。回転をサポートするために、伸長部８０８は多角形状であってもよく、或いはスロット付きであってもよい。他の種のコネクタにおいては、例えば、コネクタを前進させるかオーバーチューブを後退引き込みすることによって、その代わりとする。選択的には、カプセル８０２は、変位量を変えて、異なる運動量及び／または運動の方向が要求される異なるカプセルを同一のハンドルで使用できるようにする、パワートレインを含む。代替的または追加的には、ハンドルは、このようなパワートレイン及び／または後退引き込みと前進の両方を行う手段を含む。
【００８２】
図８Ｂは、カプラ８１４を介してハンドルセグメント８１２と連結されたカプセル８０２を含む、全システム８００を示したものである。選択的には、後退引き込みの程度を示すための後退引き込みインジケータ８１６が、ハンドル上に設けられる。代替的な実施形態では、８１６として参照されているものはロックスイッチである。
【００８３】
図８Ｃは、カプラ８１４とカプセル８０２との間に収まる、エクステンダ８２０を示したものである。カプセル８０２の一部分もまた、図８Ｂのカプラ８１４に対応するカプラ８２６と連結されて示されている。シャフト８２４が、機器の到達範囲を伸長し、その末端は図８Ａの伸長部８０８に相当するロッド伸長部８２２となっている。シャフト８２４は剛体であってもよく、或いは、部分的にまたは全体的に可撓性であるか、例えば図８Ｅ−８Ｈ内で以下に示されるように、長さ方向の一箇所またはそれ以上の箇所にヒンジが取り付けられていてもよい。選択的には、シャフト８２４は、例えばグースネック状に変形可能である。選択的には、シャフト８２４は、ワーキングチャネルとして機能するチャネルまたはスロット（図示せず）を含み、これは例えばカメラ、光源、物質または道具をシステム８００の先端に設けるものである。このようなチャネルは、選択的には、ハンドル及び／またはカプセル内にも設けられている。
【００８４】
図８Ｄは、伸長されたシステム全体を示したものである。
【００８５】
選択的には、システム８００は、穴開けが行われた後に血液のリークが防がれるような吻合接合に用いられる。本発明の例示的な実施形態では、恒常バルブ８５６（例えばリーフレットバルブ）を有するシャフト８５０が、穴開け器及び吻合器の移送のためのガイドとして用いられる。１つの例示的な実施形態では、パンチカプセルがボア８５４及びシャフト８５０を通って提供され、小径部８５２がパンチを越えて穴の開いた血管内に進む。パンチは次いで後退引き込みされ、血液のリークはバルブ８５６によって防止されるか低減される。（例えばカプセル８０２のような）機器移送カプセルが、次いでボア８５４を通って提供され、吻合のために使用される。選択的には、シャフト８５０は、軸方向分断ラインを有し（明瞭性のために図示せず）、カプセル８０２が一旦適所に配置されると移送システムから分断される。シャフト８５４は、例えば、カプセル並みに短くてもよく、或いは体の外に十分届くほど長くてもよい。
【００８６】
図８Ｅ−８Ｈは、本発明の例示的な実施形態による、変形可能かつ折り曲げ可能な移送システムを図示したものである。
【００８７】
図８Ｅは、ヒンジ付きの伸長部８６４を含む移送システム８６０を示したものである。示された例では、例えば前述のカプセル８０２と同一の、セパレートカプセルが提供される。代替的には、伸長部はカプセルと一体化している。本発明の例示的な実施形態では、伸長部８６４は、システム８６０のハンドル部８６２と回転ヒンジ８６６の位置で接続されている。第２の回転ヒンジ８７０は、例えばカプセル接続機構と接続されて第２の回転角を与える。
【００８８】
選択的には、曲げヒンジ８６８が、２つの回転ヒンジの間にある。本発明の例示的な実施形態では、３つのヒンジ全てによる効果によって、カプセル８７２の先端部の位置は、回転３自由度を有するようになる。
【００８９】
図８Ｆは、システム８６０の断面図であり、ハンドルのパワーを伝達してカプセル８７２内で保持されているコネクタデバイスを後退引き込みすることが可能な機構を示したものである。ケーブル８７４は、伸長部８６４の形状変化の影響をほとんど受けず、ハンドル８６２に力が加えられたときはコネクタを後退引き込みすることができる。いくつかの実施形態では、ケーブル８７４はハンドル８６２が動作するまで張りつめない。鎖や連結レールまたはロッドといった、ケーブル以外の手段を力の伝達用に用いてもよい。
【００９０】
他の数及び／または他の種のヒンジを、示されたものの代わりに用いてもよく、その結果自由度がより低くなるまたはより高くなる、及び／または、位置できる角度の限度が異なる可能性がある。
【００９１】
図８Ｇは、可撓性の、選択的には弛緩性の伸長部８８２を備えた例示的な移送システム８８０を示したものである。図８Ｈは、グースネック状の伸長部８９２を備えた例示的な移送システム８９０を示したものである。これらの伸長部は一体であってもよく、或いは選択的に取り外し可能であってもよい。本発明の例示的な実施形態では、伸長部８８２及び８９２の折り曲げ角は、９０度、１８０度、２７０度、或いは３６０度やそれ以上ですら可能である。代替的または追加的には、伸長部は２つまたはそれ以上の場所で曲げられる。代替的かつ例示的な適用では、移送システムは剛体かつ曲げられている。例えばキーホールを通って体外から体内の様々な種類の血管にアクセスできるように、複数の異なる折り曲げ角度及び折り曲げの種類を用いてもよい。
【００９２】
図９Ａ−９Ｅは、本発明の例示的な実施形態による、カプセルを用いた移送システム９００の代替の実施形態を示したものである。
【００９３】
図９Ａは、ハンドル９１２、（例えば、ハンドルの動作やコネクタの後退引き込みを防止するための）選択的な安全スイッチ９１６、カプセル９０２、及び選択的にシステム９００にカプセル９０２をロックしたりそこからリリースする、選択的なロックレバー９１４と、を含むシステム９００を示したものである。伸長部要素（図示せず）を、システム６００のボディとカプセル９０２との間に追加することも可能である。
【００９４】
図９Ｂは、カプセル９０２の拡大斜視図である。血管の開口９０６が、グラフトを挿入するために提供されている。全体として、カプセルは、選択的に分割可能である。コネクタ９０４は、例えば、上記の各種のものの１つであり、カプセル９０２の遠位端に概略的に示されている。カプセル８０２とは異なり、カプセル９０２は選択的にはコネクタ９０４の前部スパイク（図示せず）を伸長する手段を含む。本発明の例示的な実施形態では、回転ノブ９１８は、少なくとも１つ、選択的には２つのロックポイントを伴い、その一方はスパイクを伸長し、他方はスパイクを後退引き込みする。ハンドル６１２を動作させたとき、スパイク運動機構とは独立して、スパイクが全体的に相当距離後退引き込みされてもよい。代替的には、ノブ９１８は、前述のような手法でスパイクを分断するためにも使用される。
【００９５】
スパイクの選択的な伸長部は、選択的には、システム９００を吻合位置にガイドしている間に、スパイクの保護を行う。
【００９６】
図９Ｃ−９Ｅを参照してノブ９１８の操作を説明する。図９Ｃ及び９Ｄは、カプセル９０２の外面を示したものであり、図９Ｅは、その内部機構を示したものである。図９Ｅは、本発明の実施の形態による、カプセル９０２の断面図である。カプセル９０２は、例えば外部シェル９３６と、システム９００に取り付けるための近位ロック機構９０８を含む内部心棒９３０と、を有する。本発明の例示的な実施形態では、心棒９３０は、例えばノブ９１８に形成された「Ｚ」型のスロットであるスロット９２０と相互に作用するくさび９３２を含む。「Ｚ」の両端はロックポジションであり、それらをつなぐ線は心棒の運動を規定する。本発明の例示的な実施形態では、心棒９３０に、コネクタ９０４（図示せず）のスパイクセクションを受けるための同軸の陥没部９３４が形成されている。心棒９３０は、選択的には中空であり、そこはグラフトが通される通路となる。
【００９７】
図９Ｃは、ある場所に配置されたカプセル９０２を示したものであり、コネクタ９０４のスパイクは後退引き込みされている。図９Ｄでは、ノブ９１８は回転し、その結果スパイクは前方に伸長する。本発明の例示的な実施形態では、この動作はシェル９３６を後退引き込みすることに応じてなされる。
【００９８】
図１０は、本発明の例示的な実施形態による、ターゲットとなる血管に、血管の外側から開口を形成するカッター１０００を図示したものである。第１のハンドル１０１４と連結されたベース面１０１０と、第２のハンドル１０１２と連結された「Ｌ」型スパイク１００４という、２つの可動部がある。示された例示的な実施形態では、２つのハンドルは、ヒンジ１０２０及びアーム１０２２を用いて連結されている。例えば注射器型の構成及び／または前述のグースネック型伸長部機構といった、他の構成のハンドルを用いてもよい。２つの部分は、選択的にはばね１０１６またはヒンジ内のばね（図示せず）を用いて連結される。例示的な使用では、スパイク１００４のアーム１００９の先端部１００６が、例えば冠状動脈などの血管に挿入される。カッター１０００は次いで回転し、アーム１００９は血管内に入り、血管の軸方向と平行になる（これはこの方向が望まれる切開方向であると想定されたものであり、斜め方向の切開や交軸方向の切開といったものが望まれることもある）。アーム１００９は、次いで面１０１０に向かって後退引き込みされ、血管管壁は剪断されて切開される。選択的には、アーム１００９の内面１００８は、鋭利になっており、ナイフとして機能する。本発明の例示的な実施形態では、先端部１００６は、可撓性を有する。選択的には、面１０１０は、平面プレート１００２の末端に形成されており、先端部１００６は内向きに曲げられてプレート１００２の面部を向いている。
【００９９】
面１０１０及び面１００８は、選択的には、互いにほぼ平行である。代替的には、面同士は互いに平行ではなく、例えば、（図のように）外側に分かれるか、内側に向く。一方または双方の面は、カッター１０００の動作方向の軸に垂直であってもよく、或いはそれに斜めであってもよい。
【０１００】
前述のものは、血管の外側から使用される機器に関するものである。しかしながら、これらのものは血管内から使用することも可能である。
【０１０１】
図１１Ａ及び１１Ｂは、本発明の例示的な実施形態による、コネクタ１１０２及びそれに付随するグラフト取り付けシステム１１００を示したものであり、コネクタは折り曲げられて、グラフトがその上に取り付けられるのをアシストする。これらの図は両方とも、システム１１００に取り付けられたコネクタ１１０２を示している。
【０１０２】
コネクタ１１０２は、後方に反らされた先端部１１０６を備えた複数の伸長するスパイク１１０４を有する。スパイクが前を指しているとき、グラフト１１２６のコネクタ１１０２上への取り付けは、その方向を向いた先端部１１０６のために、困難でありうる。本発明の例示的な実施形態では、取り付けシステム１１００によってスパイク１１０４が曲げられ、その結果先端部１１０６は半径方向外側を指す。次いで、コネクタ１１０２の中にグラフトを送って先端部１１０６を覆うようにグラフト１１２６の開口縁を引き込んでこれを先端部１１０６が貫くようにすることにより、グラフト１１２６は取り付けられるようになる。一例では、開口縁は手動で先端部を覆うように少しずつ外翻される。代替的には、複数の位置で開口縁をつかんでスパイクの先端部を覆うように広げる機械装置を用いてもよい。選択的には、スパイクの先端部は、グラフトの開口縁を伸ばす必要性を減らすために、互いに近づいてグラフトの径よりも小さくなる。（例えば少しずつ。）
【０１０３】
システム１１００は、遠近法によって、下方から図１１Ａ内に、また上方から図１１Ｂに示されている。一般には、システム１１００は３つのスロット付き円盤１１２０、１１１０、及び１１１２を有する。スパイク１１０４は、円盤１１１０内に形成されたスロット１１２８内で保持される。選択的には、スロットは、各スパイクのタブ及び分断部のためのセクション１１３０を含む。操作中は、全てのスパイク１１０４は伸長されて円盤に形成された小孔１１０８に通される。円盤１１１２は回転し、円盤１１１０と位置を揃え、その結果、円盤１１１２内に形成された複数のスロット１１１４及び、広いスロット部１１１６は、スロット１１３０と位置を揃える。本発明の例示的な実施形態では、スロットは部分的に重なるように位置を揃え、その結果、重なった部分はスパイクの幅より狭くなるが、そこはスパイクの厚さよりは広い。各スパイクは、（例えばピンセットを用いて）捩じられ、このように形成された重なったスロットにガイドされて、広いスロット部１１１６で捩じれが取れるようになる。次いで、円盤１１２０内の複数のスロット１１２２、１１２４等は曲げられたスパイクと合うように配列されている。図１１Ｂに示されているように、スロット間隔及び／またはスロットの幅は均一ではなく、各スパイクに対応するスロットが特定のスロット１１３０と重なっている時のみ、各スパイクを配置することができる。各スパイクは、スロット１１２８内に向かって下方に押される。このプロセスが終了すると、グラフト１１２６は外側を指している尖った先端部１１０６の上に取り付けられる。一旦取り付けられると、カプセル８０２または９０２は、コネクタ１１０２のベースに移送されるだろう。本発明の例示的な実施形態では、コネクタ１１０２がカプセルの心棒部に取り付けられ、次いでカプセルのケーシングが心棒に移送される（例えば図９のように）。本発明の例示的な実施形態では、カプセルの構成及び／または移送システムは、コネクタをより長い距離後退引き込みできるように変更され、より長い後退引き込みは図１１の実施形態で使用されたより長いスパイクに対応する。
【０１０４】
特定の例が示されているが、システム１１００にスパイクを連続して配列するために、他の円盤のパターンや、他の位置揃え機構を使用してもよい。例えば、スロットの異なるパターンや円盤の異なる動きなどがあってもよい。
【０１０５】
図１２Ａ−１２Ｄは、本発明の例示的な実施形態による、コネクタ除去機器１２００を示したものである。除去機器１２００は、注入中または注入の完了後に、吻合コネクタを取り除くために使用される。一般的には、除去機器１２００は、先端部１２０６をボディ１２０４に対して後退引き込みするハンドル１２０２を有する。
【０１０６】
図１２Ｂ−１２Ｄは、使用中の除去機器１２００を示したものである。先端部１０２６は、固定されたアウターチューブ１２１４と、例えば後退引き込み可能な分割インナーチューブ１２１２またはピンセットといったスパイク把持器と、を有する。
【０１０７】
チューブ１２１２は、コネクタのベースリング部１２１０に当接するまで前進し（図１２Ｂ）、その結果、スパイク１２０８は、分割チューブ１２１２の２側面１２１６及び１２１８の間にある中空部１２０６内に伸長する。図１２Ｃでは、チューブ１２１２はチューブ１２１４に対して後退引き込みされ、その時除去機器全体を前方に押し、従ってチューブ１２１４はチューブ１２１２上を前進する。本発明の例示的な実施形態では、チューブ１２１２は、その遠位端にその径を増大させるような１つまたはそれ以上の突出部を有し、チューブ１２１２はその遠位端で径が太くなっており、及び／またはアウターチューブ１２１４はその内径が狭くなっている部分を有する。従って、チューブ１２１４がベース１２１０に届くと（或いは、それ以前であることもある）、スパイク１２０８は、インナーチューブ１２１２に把持される。インナーチューブ１２１２の後退引き込みを続けることによって、例えば図１２Ｄに示されているように、スパイクはリング部１２１０を通過して引き込まれる。（通常の状態の）スパイク１２０８の後退引き込みを防ぐためのスプリングタブ（例えば図７Ａの７１８）をベースリング１２１０が含むような例示的な実施形態では、インナーチューブ１２１２及び／またはアウターチューブ１２１４は、選択的にはタブを自由に運動させるように構成されている。スパイク１２０８は、選択的にはベースリングを通過して後退引き込みされることによって直線状に伸ばされる。
【０１０８】
本発明のいくつかの実施形態では、摩擦によってスパイクを係合させる代替的または追加的には、突出部１２２０がタブ部またはスパイクに形成された小孔と係合する。
【０１０９】
本発明の他の実施形態では、除去機器１２００は、コネクタの複数または全てのスパイクを一度に除去するようになっている。この場合、インナーチューブ１２１２は、選択的には、グラフトを十分囲めるだけの径を有し、スパイクはインナーチューブとアウターチューブの間で係合する。他の２つのチューブを後退引き込みし、ベースリングに対する抵抗となるような、別のさらに外側のチューブがあってもよい。
【０１１０】
従って、本発明の幾つかの実施形態では、ベースリングに対して抗力を与えるために使用されるものと同一のオーバーチューブは、インナーチューブ１２１２または他の種のスパイクグリッパを動作させない。
【０１１１】
本発明の例示的な実施形態では、上記の機器は、その開示が参照としてここに組み込まれるＰＣＴ出願及び公開ＷＯ ９９／６２４１５、ＷＯ ００／５６２２６、ＷＯ ００／５６２２８、ＷＯ ０１／４１６２３、ＷＯ ０１／４１６２４、ＰＣＴ／ＩＬ０１／００２６７、ＰＣＴ／ＩＬ０１／０００６９、ＰＣＴ／ＩＬ０１／０００７４、ＰＣＴ／ＩＬ０１／００２６６、およびＰＣＴ／ＩＬ０１／００６００に記述された吻合に関する道具と組み合わせて使用される。しかしながら、これらは、他の使用及び／または吻合コネクタのための、スタンドアロンの機器または外科キットの一部としても使用されても良い。
【０１１２】
ステップの順番の変更、吻合結合に用いる厳密な物質、血管の側方と末端との吻合に於いてどの血管が「側方」側でどの血管（またはグラフト）が「末端」側か、及び／または接合される２つの開口縁は同じ血管のものか異なる血管のものか等、血管を処置する上記の方法及び装置は多くの形の変形がありうるという点を理解されたい。さらに、機械の形態において、例えば相対的に運動する必要がある部分において可動要素の変わりに固定要素を使用するなど、様々な要素は開示の内容を越えない範囲で交換可能である。加えて、方法と装置の両方で、様々な特徴における多様性が記載されている。異なる特徴が異なる形で組み合わされうるという点を理解されたい。特に、ある特定の形態内の上記の全ての特徴が、本発明の全ての類似の例示的な形態に必要であるとは限らない。さらに、異なる形態からの上記の特徴を組み合わせることもまた、本発明の幾つかの例示的な形態の範囲内であると考えられる。加えて、本発明の他の例示的な形態によれば、本発明のここに記載された特徴の一部は、関連出願の装置で使用されるようになっている。本発明を説明するために使用された特定の外形形状が、本発明の最も広い解釈がこれらの形状のみであると本発明を限定するべきではなく、例えば、円形の管腔が示されていても他の形態では楕円形の管腔が使用されうる。
【０１１３】
１つまたは少数の吻合結合を行なう及び／または１つまたは少数の小孔の形成に適した医療用装置のセットを含む外科用具もまた、本発明の範囲内である。上記の計測値は特定の場合における例示的な計測値に過ぎず、実際の計測値は適用によって異なる。請求項における「有する」「含む」「備える」「具備する」または類似の用語は、「含むかそれに制限されるものではない」という意味である。
【０１１４】
ここまでに記述されたものによって本発明が限定されるものではないということは、当業者によって理解されるだろう。むしろ、本発明の範囲は請求項のみによって限定される。
【図面の簡単な説明】
【図１】本発明の例示的な実施形態による、複数のプラーを含むクリップ配置システムに取り付けられた吻合クリップセットを示したものである。
【図２】本発明の例示的な実施形態による、弾性クリップの移送システムを示したものである。
【図３】本発明の例示的な実施形態による、塑性変形するクリップを用いた移送システムを示したものである。
【図４】本発明の例示的な実施形態による、複数のクリップが軸方向ではなく内側に向いているような、代替のクリップシステムを示したものである。
【図５】本発明の例示的な実施形態による、代替のクリップの構成を示したものである。
【図６Ａ】本発明の例示的な実施形態による、クリップ−リングコネクタを示したものである。
【図６Ｂ】本発明の例示的な実施形態による、クリップ−リングコネクタを示したものである。
【図７Ａ】本発明の例示的な実施形態による、小孔型の吻合コネクタを示したものである。
【図７Ｂ】本発明の例示的な実施形態による、小孔型の吻合コネクタを示したものである。
【図７Ｃ】本発明の例示的な実施形態による、小孔型の吻合コネクタを示したものである。
【図７Ｄ】本発明の例示的な実施形態による、小孔型の吻合コネクタを示したものである。
【図７Ｅ】本発明の例示的な実施形態による、小孔型の吻合コネクタを示したものである。
【図８Ａ】本発明の例示的な実施形態による、伸長可能な移送システムを示したものである。
【図８Ｂ】本発明の例示的な実施形態による、伸長可能な移送システムを示したものである。
【図８Ｃ】本発明の例示的な実施形態による、伸長可能な移送システムを示したものである。
【図８Ｄ】本発明の例示的な実施形態による、伸長可能な移送システムを示したものである。
【図８Ｅ】本発明の例示的な実施形態による、変形可能かつ折り曲げ可能な移送システムを示したものである。
【図８Ｆ】本発明の例示的な実施形態による、変形可能かつ折り曲げ可能な移送システムを示したものである。
【図８Ｇ】本発明の例示的な実施形態による、変形可能かつ折り曲げ可能な移送システムを示したものである。
【図８Ｈ】本発明の例示的な実施形態による、変形可能かつ折り曲げ可能な移送システムを示したものである。
【図９Ａ】本発明の例示的な実施形態による、カプセルを用いた移送システムの代替の実施形態を示したものである。
【図９Ｂ】本発明の例示的な実施形態による、カプセルを用いた移送システムの代替の実施形態を示したものである。
【図９Ｃ】本発明の例示的な実施形態による、カプセルを用いた移送システムの代替の実施形態を示したものである。
【図９Ｄ】本発明の例示的な実施形態による、カプセルを用いた移送システムの代替の実施形態を示したものである。
【図９Ｅ】本発明の例示的な実施形態による、カプセルを用いた移送システムの代替の実施形態を示したものである。
【図１０】本発明の例示的な実施形態による、ターゲットとなる血管に開口を形成するカッターを図示したものである。
【図１１Ａ】本発明の例示的な実施形態による、コネクタ及びそれに付随するグラフト取り付けシステムであり、コネクタが曲げられてグラフトがその上に取り付けられるのをアシストするものを示したものである。
【図１１Ｂ】本発明の例示的な実施形態による、コネクタ及びそれに付随するグラフト取り付けシステムであり、コネクタが曲げられてグラフトがその上に取り付けられるのをアシストするものを示したものである。
【図１２Ａ】本発明の例示的な実施形態による、コネクタ除去機器１２００を示したものである。
【図１２Ｂ】本発明の例示的な実施形態による、コネクタ除去機器１２００を示したものである。
【図１２Ｃ】本発明の例示的な実施形態による、コネクタ除去機器１２００を示したものである。
【図１２Ｄ】本発明の例示的な実施形態による、コネクタ除去機器１２００を示したものである。
【符号の説明】
１００                      クリップ配置システム
１０２                      クリップ
１０４                      小孔
１０８、１１０              歯
１１２                      ホルダ
１１４                      アウターリング
１１６                      インナーリング
１１８、１２０、１２２      プラー
１２４                      シャフト
１２６                      先端部
２００                      移送システム
２０２                      弾性クリップ
２０６                      小孔
２１０、２１２              タブ
２１４                      アウターリング
２１６                      インナーリング
３００                      移送システム
３０４、３０６              クリップホルダ
４００                      クリップシステム
４０２                      クリップ
４０４                      小孔
４１０                      ベースリング
５０２                      クリップ
５０４                      ボディ
５０６                      小孔
５０８                      スパイク
６００                      コネクタ
６０２                      クリップ要素
６０４                      ボディ
６０６                      小孔
６０８、６１０              伸長部
６１２、６１４              接触表面
６１６                      リング
６１８                      仮想リング
７００                      コネクタ
７０２                      ベースプレート
７０４                      プラー
７０８                      突出部
７１２                      プレート
７１４                      ベースプレート
７１６                      小孔
７１８                      タブ
７２０                      ベースプレート
７２２                      小孔要素
７２４                      接続セグメント
７２６                      弾性ばねセグメント
７２８                      タブ
７３０                      バー
７３４                      通路小孔
７３６                      フック小孔
７４０                      スペーサ
７４２                      タブ
７４４                      切断プレート
７４６                      小孔
７５０                      ホルダ
８００                      移送システム
８０２                      モジュラーカプセル
８０４                      コネクタ
８０６                      小孔
８０８                      ロッド伸長部
８１０                      ロック機構
８１４                      カプラ
８１６                      ロックスイッチ
８２０                      エクステンダ
８２２                      ロッド伸長部
８２４                      シャフト
８２６                      カプラ
８５０                      シャフト
８５２                      小径部
８５４                      ボア
８６０                      移送システム
８６２                      ハンドル部
８６４                      伸長部
８６８                      曲げヒンジ
８７０                      回転ヒンジ
８７２                      カプセル
８７４                      ケーブル
８８０                      移送システム
８８２                      伸長部
８９２                      伸長部
９００                      移送システム
９０２                      カプセル
９０４                      コネクタ
９０６                      開口
９１２                      ハンドル
９１４                      ロックレバー
９１６                      安全スイッチ
９１８                      回転ノブ
９２０                      スロット
９３２                      くさび
９３０                      心棒
９３６                      シェル
１０００                      カッター
１００２                      平面プレート
１００４                      スパイク
１００６                      先端部
１００８                      アーム内面
１００９                      アーム
１０１０                      ベース面
１０１２                      第２のハンドル
１１００                      グラフト取り付けシステム
１１０２                      コネクタ
１１０４                      スパイク
１１０６                      先端部
１１０８                      小孔
１１１０、１１１２、１１２０  スロット付き円盤
１１１４                      スロット
１１１６                      スロット部
１１２６                      グラフト
１１２２、１１２４、１１２８  スロット
１１３０                      セクション
１２００                      コネクタ除去機器
１２０２                      ハンドル
１２０４                      ボディ
１２０６                      先端部
１２０８                      スパイク
１２１０                      ベースリング部
１２１２                      分割チューブ
１２１４                      アウターチューブ
１２１６                      インナーチューブ
１２１６、１２１８            側面
１２２０                      突出部
【図１】
2005506095.tif 000003
【図２】
2005506095.tif 000004
【図３】
2005506095.tif 000005
【図４】
2005506095.tif 000006
【図５】
2005506095.tif 000007
【図６Ａ】
2005506095.tif 000008
【図６Ｂ】
2005506095.tif 000009
【図７Ａ】
2005506095.tif 000010
【図７Ｂ】
2005506095.tif 000011
【図７Ｃ】
2005506095.tif 000012
【図７Ｄ】
2005506095.tif 000013
【図７Ｅ】
2005506095.tif 000014
【図８Ａ】
2005506095.tif 000015
【図８Ｂ】
2005506095.tif 000016
【図８Ｃ】
2005506095.tif 000017
【図８Ｄ】
2005506095.tif 000018
【図８Ｅ】
2005506095.tif 000019
【図８Ｆ】
2005506095.tif 000020
【図８Ｇ】
2005506095.tif 000021
【図８Ｈ】
2005506095.tif 000022
【図９Ａ】
2005506095.tif 000023
【図９Ｂ】
2005506095.tif 000024
【図９Ｃ】
2005506095.tif 000025
【図９Ｄ】
2005506095.tif 000026
【図９Ｅ】
2005506095.tif 000027
【図１０】
2005506095.tif 000028
【図１１Ａ】
2005506095.tif 000029
【図１１Ｂ】
2005506095.tif 000030
【図１２Ａ】
2005506095.tif 000031
【図１２Ｂ】
2005506095.tif 000032
【図１２Ｃ】
2005506095.tif 000033
【図１２Ｄ】
2005506095.tif 000034
【国際公開パンフレット】
2005506095.tif 000035
2005506095.tif 000036
2005506095.tif 000037
2005506095.tif 000038
2005506095.tif 000039
2005506095.tif 000040
2005506095.tif 000041
2005506095.tif 000042
2005506095.tif 000043
2005506095.tif 000044
2005506095.tif 000045
2005506095.tif 000046
2005506095.tif 000047
2005506095.tif 000048
2005506095.tif 000049
2005506095.tif 000050
2005506095.tif 000051
2005506095.tif 000052
2005506095.tif 000053
2005506095.tif 000054
2005506095.tif 000055
2005506095.tif 000056
2005506095.tif 000057
2005506095.tif 000058
2005506095.tif 000059
2005506095.tif 000060
2005506095.tif 000061
2005506095.tif 000062
2005506095.tif 000063
2005506095.tif 000064
2005506095.tif 000065
2005506095.tif 000066
2005506095.tif 000067
2005506095.tif 000068
2005506095.tif 000069
2005506095.tif 000070
2005506095.tif 000071
2005506095.tif 000072
2005506095.tif 000073
2005506095.tif 000074
2005506095.tif 000075
2005506095.tif 000076
2005506095.tif 000077
2005506095.tif 000078
2005506095.tif 000079
2005506095.tif 000080
2005506095.tif 000081
2005506095.tif 000082
2005506095.tif 000083
2005506095.tif 000084
2005506095.tif 000085
2005506095.tif 000086
2005506095.tif 000087
2005506095.tif 000088
2005506095.tif 000089
2005506095.tif 000090
2005506095.tif 000091
2005506095.tif 000092
2005506095.tif 000093
2005506095.tif 000094
2005506095.tif 000095
2005506095.tif 000096
2005506095.tif 000097
【国際公開パンフレット（コレクトバージョン）】
2005506095.tif 000098
2005506095.tif 000099
【国際調査報告】
2005506095.tif 000100